(57)【要約】【課題】写真撮影において使用時以外は邪魔になる三脚の有効活用と重く嵩張る交換レンズの収納及び持ち運び方法の改善を課題とする。【解決手段】交換レンズの収納ケースを三脚に取り付けることにより、三脚に交換レンズ収納ケースとしての役目をも与えることで、交換レンズ付きカメラは小物類と共に取り回しの良い小型のカメラバッグに収納するか、或いは三脚に取り付けたまま持ち運ぶことが出来る様にする。交換レンズ収納ケースは円筒形の縦型で、三脚のエレベータを中心として上部から見た三脚の脚と脚の間の空間に吊り下げる形態として、１つ以上設ける。カメラを三脚に取り付けたまま持ち運ぶ場合に、レンズを下に向けた状態で使用できる交換レンズ収納ケースを１つ設けても良い。【選択図】                図１
2011164371.tif 000002
【特許請求の範囲】
【請求項１】
カメラ用三脚のエレベーターを中心として、上部から見たカメラ用三脚の脚と脚の間の３つの空間に取り付ける、少なくとも一つの交換レンズ収納ケース。
【発明の詳細な説明】
【技術分野】
【０００１】
本発明は、三脚に取り付ける交換レンズケースに関するものである。
【背景技術】
【０００２】
従来、手持ち或いは背負い型等のカメラバッグに収納されるものの中で、カメラ本体以外では主として交換レンズが重量的にも容積的にも多くを占めている。その為にカメラの交換レンズは専用の交換レンズ収納ケースでも持ち運ばれる場合がある。       
而して、この重いカメラバッグを、一時的に三脚に取り付け三脚の安定用重しの代わりとする場合やカメラバッグ自体に四脚を設けて撮影に使用するもの等もあるが、三脚にカメラを取り付けたままでの移動を伴う撮影には不便である。
更に、カメラ用三脚は折り畳んでカメラバッグに取り付けて持ち運ぶか、単独で肩に担いで運ぶのが普通であり、三脚を必要とする撮影時以外は無用、寧ろ邪魔になっているのが現状である。
【先行技術文献】
【特許文献】
【０００３】
【特許文献１】特開平８−２６２５６３
【特許文献２】特開昭５８−２１８９０７
【特許文献３】実用新案公開昭５７−１８４６２９
【特許文献４】実用新案第３００１７６５号
【発明の概要】
【発明が解決しようとする課題】
【０００４】
写真撮影において使用時以外は邪魔になる三脚の有効活用と重く嵩張る交換レンズの収納及び持ち運び方法の改善を課題とする。
【課題を解決するための手段】
【０００５】
図１や図６に見るように、交換レンズの収納ケース２１や２２を三脚９０の脚９１と脚９１との間に取り付けることにより、三脚９０に交換レンズ収納ケースとしての役目をも与えることで、交換レンズ８０付きカメラ７０は小物類と共に取り回しの良い小型のカメラバッグに収納して持ち運ぶか、或いは三脚９０に取り付けたままでも交換レンズ収納ケース２１や２２や２５の交換レンズ等で三脚９０の重心位置を下げることにより、肩に担いでの持ち運びを安定かつ安全なものにする。
【０００６】
この交換レンズ収納ケース２１や２２は内面が円筒形の縦型で、三脚９０の上から見て、三脚９０のエレベータ９２を中心とする三脚の脚９１と三脚の脚９１との間の３つの空間に吊り下げる形態として、１つ以上設ける。
【０００７】
尚、この交換レンズ収納ケース２１や２２の内側には収納する交換レンズの太さに合わせて、交換レンズを巻くように衝撃吸収材を挿入する。
【０００８】
更に、図２や図３に見るように、この交換レンズ収納ケース２１や２２は長さ方向に１段若しくは複数段に別けられる様にして、交換レンズの長さによっては１つだけでなく複数の交換レンズを１つの交換レンズ収納ケース２１や２２に収納できる様にする。この場合、１つの交換レンズ収納ケース２１や２２が中間段の底に仕切り板２２ａを置くことで２つ以上の交換レンズ収納ケースになる。
【０００９】
この交換レンズ収納ケース２１や２２は三脚のエレベーター９２よりも長くても良いが、三脚のエレベーター９２に三脚のエレベーター用ガイドパイプ９５や三脚の展開用ガイドアーム９６が付属する場合は交換レンズ収納ケース接続部品５３の長さは三脚の展開用ガイドアーム９６を折り畳んだ状態でも設置できる長さとするが、各交換レンズ収納ケースの底板を図１３の様にすることで交換レンズ収納ケース２１や２２や２５の長さを調整する。
【００１０】
なお、カメラ７０を三脚９０に取り付けたまま持ち運ぶ場合に、カメラに取り付けられた交換レンズ８０を下に向けた状態で三脚の脚９１と三脚の脚９１との間にカメラに取り付けた交換レンズ部分を格納できる窪みを持つ交換レンズ収納ケース２５を１つ設けても良い。
【発明の効果】
【００１１】
本発明によれば、三脚と嵩張る交換レンズを使用に便利な状態で一体として持ち運びでき、交換レンズの取り出しに不便な手持ちまたは背負い型の大型カメラバッグや交換レンズ専用バッグを三脚と別々に持ち運ぶ必要が無くなり、写真撮影活動に有用である。
【図面の簡単な説明】
【００１２】
【図１】三脚及びカメラ取り付け状態での全体斜視図
【図２】ケース開口状態での説明用斜視図
【図３】交換レンズケース一対斜視図
【図４】窪み付きレンズケース上部斜視図
【図５】窪み付きレンズケース下部斜視図
【図６】天板及び接続部品による三脚への取り付け説明図
【図７】天板斜視図
【図８】中板斜視図
【図９】底板斜視図
【図１０】接続部品斜視図
【図１１】ベルト用金具斜視図
【図１２】展開用ガイドアーム付き三脚
【図１３】展開用ガイドアーム付き三脚を使用する場合の底板斜視図
【図１４】展開用ガイドアーム付き三脚を使用する場合の接続部品斜視図
【発明を実施するための形態】
【００１３】
図２に見るように、交換レンズ収納ケース２１や２２や２５を三脚の脚９１と三脚の脚９１の間に吊り下げるために、三脚のエレベーター９２を通す穴１２の開いた天板１１に交換レンズ収納ケース２１や２２や２５を吊り下げる。この交換レンズ収納ケース２１や２２は収納するレンズの太さや長さにより、一つの交換レンズ収納ケース２１や２２に１つ以上を収納するために複数段に別けられるようにして、格段の底を交換レンズ収納ケース用仕切り板２１ａや２２ａで仕切られるようにする。ただし、最下段の底は固定される。
【００１４】
この交換レンズ収納ケース２１や２２は交換レンズ８０を出し入れするするために交換レンズ収納ケースの回転軸６１や６２の周りに回転できる。
【００１５】
三脚に取り付けたカメラ７０の交換レンズ８０を下に向けたときに、そのカメラに取り付けた交換レンズ部分を格納できる窪みを持つ交換レンズ収納ケース２５は、下部２４に蓋２４ｂ付きの交換レンズ収納部を有し、上部２３の左右には蓋２３ｂ付きの小物入れを有する。
【００１６】
更に、各交換レンズ収納ケース２１や２２や２５を三脚のエレベーター９２を取り囲む様に安定させて設置するために、交換レンズ収納ケース２１と交換レンズ収納ケース２２とカメラに取り付けた交換レンズ部分を格納できる窪みを持つ交換レンズ収納ケース２５の間に交換レンズ収納ケース接続部品５１を三個、ボルトなどで天板１１と底板４１や４２や４３に締結することで設置する。この交換レンズ収納ケース接続部品５１はそれぞれ、その上部が三脚の脚の内側上部に接する長さである。
【００１７】
なお天板１１に対応するように、カメラ７０に取り付けた交換レンズ８０を収納できる窪みの底を構成する中板３３と各交換レンズ収納ケースの底板４１や４２や４３及び各交換レンズ収納ケースを、交換レンズ収納ケース固定用ボルト６１ｄや６２ｄとレンズを格納できる窪みを持つ交換レンズ収納ケースの固定用ボルト６３及び交換レンズ収納ケース接続部品固定用ボルト６４で締結する。
【実施例１】
【００１８】
図１に見るように、交換レンズ収納ケース２１と２２の２つとカメラに取り付けた交換レンズ部分を格納できる窪みを持つ交換レンズ収納ケース２５を設けた場合で、重心配分的に最も安定した実施例である。
【実施例２】
【００１９】
図１の状態からカメラに取り付けた交換レンズ部分を格納できる窪みを持つ交換レンズ収納ケース２５を除き、交換レンズ収納ケース２１や２２と同じ様な交換レンズ収納ケースのみで構成する場合である。この場合は交換レンズ収納ケースは１つ以上とし、天板は使用する底板に対応した形状とする。
【実施例３】
【００２０】
カメラに取り付けた交換レンズ部分を格納できる窪みを持つ交換レンズ収納ケース２５部分のみを設ける場合である。この場合も、天板は使用する底板に対応した形状とする。
【産業上の利用可能性】
【００２１】
以上説明した様に、本発明はカメラ用三脚を有効活用して、交換レンズの収納及び持ち運び方法として有用である。
【符号の説明】
【００２２】
１１      天板
１２      天板及び底板及びベルト用金具に設けられた、三脚のエレベーター用穴又は窪み
１３      交換レンズ収納ケース接続部品を固定する為のボルト用の穴
１４      天板及び底板に設けられた、交換レンズ収納ケース回転軸用の穴
１５      天板に設けられた、レンズを格納できる窪みを持つ交換レンズ収納ケースの上部の、小物入れ用蓋の為の窪み
２１      交換レンズ収納ケース１
２１ａ    交換レンズ収納ケース１用仕切り板
２２      交換レンズ収納ケース２
２２ａ    交換レンズ収納ケース２用仕切り板
２３      レンズを格納できる窪みを持つ交換レンズ収納ケースの上部
２３ｂ    レンズを格納できる窪みを持つ交換レンズ収納ケースの上部の小物入れ用蓋
２４      レンズを格納できる窪みを持つ交換レンズ収納ケースの下部
２４ｂ    レンズを格納できる窪みを持つ交換レンズ収納ケースの下部の蓋
２４ｃ    レンズを格納できる窪みを持つ交換レンズ収納ケースの下部のレンズ固定用ベルト
２５      カメラに取り付けた交換レンズ部分を格納できる窪みを持つ交換レンズ収納ケース
３３      中板
３４      中板の接続部品用窪み
４１      分割された底板１
４２      分割された底板２
４３      分割された底板３
５０      三脚を携帯する時に使用するベルト用金具
５１      交換レンズ収納ケース接続部品
５２      交換レンズ収納ケース接続部品の、三脚との接触部分の窪み
５３      三脚の展開用ガイドアームが付属する場合の交換レンズ収納ケース接続部品
６１      交換レンズ収納ケース１の回転軸
６１ｄ    交換レンズ収納ケース１固定用ボルト
６１ｅ    交換レンズ収納ケース１固定用ボルト穴
６１ｆ    交換レンズ収納ケース１固定用支柱
６２      交換レンズ収納ケース２の回転軸
６２ｄ    交換レンズ収納ケース２固定用ボルト
６２ｅ    交換レンズ収納ケース２固定用ボルト穴
６２ｆ    交換レンズ収納ケース２固定用支柱
６３      レンズを格納できる窪みを持つ交換レンズ収納ケースの固定用ボルト
６３ｅ    天板及び中板及び底板に設けられたレンズを格納できる窪みを持つ交換レンズ収納ケースの固定用ボルト穴
６４      交換レンズ収納ケース接続部品固定用ボルト
６５      天板及び底板及びベルト用金具、更に交換レンズ収納ケース接続部品に設けられた、交換レンズ収納ケース接続部品固定用ボルト穴
７０      カメラ
８０      交換レンズ
９０      三脚
９１      三脚の脚
９２      三脚のエレベーター
９３      三脚の雲台
９４      三脚のエレベーターを昇降させるときの締め付け及び緩める為のリング
９５      三脚のエレベーター用ガイドパイプ
９６      三脚の展開用ガイドアーム
【図１】
2011164371.tif 000003
【図２】
2011164371.tif 000004
【図３】
2011164371.tif 000005
【図４】
2011164371.tif 000006
【図５】
2011164371.tif 000007
【図６】
2011164371.tif 000008
【図７】
2011164371.tif 000009
【図８】
2011164371.tif 000010
【図９】
2011164371.tif 000011
【図１０】
2011164371.tif 000012
【図１１】
2011164371.tif 000013
【図１２】
2011164371.tif 000014
【図１３】
2011164371.tif 000015
【図１４】
2011164371.tif 000016
【手続補正書】
【提出日】平成22年4月7日(2010.4.7)
【手続補正１】
【補正対象書類名】特許請求の範囲
【補正対象項目名】請求項１
【補正方法】変更
【補正の内容】
【請求項１】
カメラ用三脚をカメラ用三脚のエレベーターを中心にして上部から見た時、カメラ用三脚の本体（脚を束ねる部分）に取り付けられた脚を展開した場合に、エレベーターを中心にＹ字型に１２０度間隔で展開する３つの脚により区切られた部分、即ち脚の展開に邪魔とならない３方向の扇状に広がる空間部分である３つの空間において、カメラ用三脚のエレベーターの中心軸（スラスト軸）に基本的に平行な中心軸を持ち収納する交換レンズの中心軸も基本的にこの交換レンズ収納ケースの中心軸に重なる交換レンズ収納ケースを少なくとも１つの空間に少なくとも１つ、カメラ用三脚の本体（脚を束ねる部分）に取り付け吊り下げる事で、カメラ用三脚に重しやカメラバッグや交換レンズケース等としての新たな機能を付加し、写真撮影においてカメラ用三脚使用撮影時以外は邪魔になるカメラ用三脚の有効活用として、重く嵩張るカメラ用交換レンズを撮影場所まで持ち運ぶ手段とする、少なくとも一つの交換レンズを収納することができる交換レンズ収納ケース。
【手続補正書】
【提出日】平成22年6月10日(2010.6.10)
【手続補正１】
【補正対象書類名】特許請求の範囲
【補正対象項目名】請求項１
【補正方法】変更
【補正の内容】
【請求項１】
カメラ用三脚のエレベーターを中心として上部から見たカメラ用三脚の脚と脚の間の３つの空間、即ち、（図１に見られるように）カメラ用三脚の本体（脚を束ねる部分）に取り付けられた脚を展開した場合にエレベーターを中心にＹ字型に１２０度間隔で展開する３つの脚により区切られた部分、つまり脚の展開に邪魔とならない３方向の扇状に広がる空間としての３つの空間の内、少なくとも１つの空間に少なくとも一つの交換レンズを収納することができる交換レンズ収納ケースを少なくとも１つ、カメラ用三脚の本体（脚を束ねる部分）に設けられている天板に吊り下げてもちいる事により、カメラ用三脚に重しやカメラバッグや交換レンズケース等としての新たな機能を付加し、写真撮影においてカメラ用三脚使用撮影時以外は邪魔になるカメラ用三脚の有効活用として、重く嵩張るカメラ用交換レンズを撮影場所まで持ち運ぶ手段となす交換レンズ収納ケース。
【手続補正書】
【提出日】平成22年7月2日(2010.7.2)
【手続補正１】
【補正対象書類名】特許請求の範囲
【補正対象項目名】請求項１
【補正方法】変更
【補正の内容】
【請求項１】
カメラ用三脚のエレベーターを中心として上部から見たカメラ用三脚の脚と脚の間の３つの空間、即ち、脚を束ねる部分であるカメラ用三脚の本体に取り付けられた脚を展開した場合にエレベーターを中心にＹ字型に１２０度間隔で展開する３つの脚により区切られた部分、つまり脚の展開に邪魔とならない３方向の扇状に広がる空間としての３つの空間の内、少なくとも１つの空間に少なくとも一つの交換レンズを収納することができる交換レンズ収納ケースを少なくとも１つ、脚を束ねる部分であるカメラ用三脚の本体に設けられている天板に吊り下げてもちいる事により、カメラ用三脚に重しやカメラバッグや交換レンズケース等としての新たな機能を付加し、写真撮影においてカメラ用三脚使用撮影時以外は邪魔になるカメラ用三脚の有効活用として、重く嵩張るカメラ用交換レンズを撮影場所まで持ち運ぶ手段となす交換レンズ収納ケース。